(57)【特許請求の範囲】
【請求項１】
遊技盤を内側に収容可能な枠体と、
前記枠体の前面を被覆可能なカバー体と、
前記枠体の前面側に突出して設けられ、該枠体に前記カバー体を係止させるための係止部材と、
前記係止部材の幅方向一側面に形成された切り欠き部と、
前記カバー体の背面側に設けられ、前記係止部材を挿入可能な挿入部を有する係合部材と、
前記カバー体の背面側に設けられ、前記係合部材の前記挿入部に挿入された前記係止部材の前記切り欠き部に嵌入することにより前記係合部材に前記係止部材をロックさせる第１の位置と、該切り欠き部から離間した第２の位置との間を横方向に摺動可能なロック部材と、
前記カバー体に設けられ、施錠操作により前記ロック部材を前記第１の位置に摺動させ、解錠操作により前記ロック部材を前記第２の位置に摺動させる施錠装置と、
前記枠体の、前記カバー体によって被覆されているときに前記ロック部材の一部の対面となる位置に、背面から操作部材を挿通可能に設けられた挿通孔と、を備え、
前記ロック部材は、前記施錠装置の操作に関わらず、前記挿通孔に挿通させた前記操作部材を該ロック部材に当接させることにより摺動可能であることを特徴とする遊技機。
【発明の詳細な説明】
【技術分野】
【０００１】
本発明は、遊技盤を収容する枠体の前面をカバー体によって被覆可能な遊技機に関する。
【背景技術】
【０００２】
一般的な遊技機は、遊技球が転動可能な遊技盤や電源基板等を収容した後枠体の前面に、該遊技盤の前面を覆うガラス板、遊技球を貯留するための下皿や上皿、遊技球を発射する操作を行うためのハンドル等を備えた前枠体が取り付けられている。
【０００３】
そして、遊技機の点検や遊技盤の入れ替えなどのために、前枠体の一部または全部を後枠体から取り外すことにより、後枠体の前面が開放可能になっている。例えば、両枠体を左右方向の一端側（例えば遊技機に正対して左側）においてヒンジ機構を介して連結させ、当該ヒンジ機構を支点として前枠体を回動させることにより、後枠体の前面側を開放させる。
【０００４】
このように、前枠体を後枠体に取り付けた状態で、前枠体が後枠体から開放できないように係止するために、様々な工夫が行われている。例えば、特許文献１に開示されている遊技機においては、基枠の上部と下部にロック爪を揺動可能に枢支すると共に、基枠内に上下のロック爪を連結する帯板を配設している。そして、基枠の中間部のシリンダ錠の錠軸先端に、カム部材が取り付けられ、シリンダ錠の回動によりカム部材を帯板に係合させて同帯板を摺動させる。これにより、上下のロック爪を回動させ、解錠および施錠するように動作する。
【先行技術文献】
【特許文献】
【０００５】
【特許文献１】特開平１０−１５１２５４号公報
【発明の概要】
【発明が解決しようとする課題】
【０００６】
このような係止方法によれば、帯板を用いて複数のロック爪を同時に施錠と解錠を行うことができるので、十分な強度を持って固定できるかのようである。しかしながら、帯板を用いるには縦線上にロック爪を配設する必要があるので、枠の側部に配設位置が限定されてしまう。そのため、両枠体を左右端でのみ固定することになり、中央部の固定強度が弱くなってしまう。例えば、枠の中央部を引っぱったりすると、枠の中央部が撓んで上部や下部に隙間が生じてしまうことになる。
【０００７】
また、カム部材を用いてロックする場合、枠の上下動への対応力が弱いという問題がある。すなわち、カム部材は、上下方向に回動することになるが、遊技機の前面側に遊技者が体重をかけたりすることにより上下に動揺すると、カム部材も上下動してしまいロックが外れてしまう虞があった。
【０００８】
そこで、本発明は、両枠体同士を係止するための部材を配設する位置を枠の左右端に限定されず、かつ、枠の上下の揺動に対して係止が解除されにくい遊技機を提供することを目的とする。
【課題を解決するための手段】
【０００９】
第１の発明は、遊技盤を内側に収容可能な枠体と、前記枠体の前面を被覆可能なカバー体と、前記枠体の前面側に突出して設けられ、該枠体に前記カバー体を係止させるための係止部材と、前記係止部材の幅方向一側面に形成された切り欠き部と、前記カバー体の背面側に設けられ、前記係止部材を挿入可能な挿入部を有する係合部材と、前記カバー体の背面側に設けられ、前記係合部材の前記挿入部に挿入された前記係止部材の前記切り欠き部に嵌入することにより前記係合部材に前記係止部材をロックさせる第１の位置と、該切り欠き部から離間した第２の位置との間を横方向に摺動可能なロック部材と、前記カバー体に設けられ、施錠操作により前記ロック部材を前記第１の位置に摺動させ、解錠操作により前記ロック部材を前記第２の位置に摺動させる施錠装置と、前記枠体の、前記カバー体によって被覆されているときに前記ロック部材の一部の対面となる位置に、背面から操作部材を挿通可能に設けられた挿通孔と、を備え、前記ロック部材は、前記施錠装置の操作に関わらず、前記挿通孔に挿通させた前記操作部材を該ロック部材に当接させることにより摺動可能であることを特徴とする。
【００１０】
第１の発明によれば、枠体に設けられた係止部材をカバー体に設けられた係合部材に係止させることで、枠体の前面がカバー体に被覆された状態で、枠体とカバー体とが係止される。
【００１１】
ここで、係止部材は、枠体の前面側に突設され、横方向の一方側に切り欠き部が形成されている。また、係合部材は、カバー体の背面側に設けられ、係止部材を挿入する挿入部を有している。係止部材とは、例えば、周側面の左右一方側に凹部を有する円柱であり、先端側が枠体の前面から前方に突出して設けられている。
【００１２】
そして、挿入部に挿入された係合部材の切り欠き部にロック部材を嵌め込むと、挿入部に係止部材が挿入されたままロックされる。また、切り欠き部からロック部材を離すとロックが解除され、挿入部から係止部材を抜き出すことができる。
【００１３】
このロック部材は、挿入部に係止部材が挿入されている場合に切り欠き部に嵌入可能な第１の位置と、切り欠き部から離間した第２の位置との間を、施錠装置の操作によって横方向に摺動する。これにより、施錠装置の操作により、係合部材に係止部材をロックした状態と、当該ロックを解除した状態とに任意に変化させることができる。
【００１４】
このようにロック部材は横方向に摺動するため、カバー体の左右端部ではない位置に、ロック部材や係合部材を設けることが可能である。さらに、係止部材が係合部材にロックされた状態であるときに、縦方向にカバー体や枠体が揺動したとしても、ロックが解除されにくくなる。
【００１５】
なお、カバー体は、例えばガラス等の透過性を有する板材を有しており、枠体の前面をカバー体が被覆した状態でも、枠体に納められた遊技盤が視認可能となっていることが望ましい。
【００１６】
また、施錠装置は、例えば、シリンダ錠構造とし、シリンダ錠の回動操作により、施錠と解錠を行うようにしてもよいし、また、カバー体を枠体に押し込むことにより自動的に施錠するような構造であってもよい。
【００１８】
また、ロック部材は、枠体の背面側から挿通させた操作部材を用いることにより、施錠装置の操作によらずとも、摺動させることができる。
【００１９】
これにより、例えば、施錠装置が故障した場合などであっても、係止部材を係合部材にロックさせたり、ロックを解除したりすることが可能となる。
【発明の効果】
【００２０】
本発明によれば、横方向に摺動するロック部材によって、枠体の係止部材とカバー体の係合部材とをロックさせたりロックを解除したりすることができるので、係止部材を枠の左右端に限定されずに設けることができ、かつ、枠の上下の揺動に対して係止が解除されにくくすることが可能となる。
【図面の簡単な説明】
【００２１】
【図１】遊技機の正面図である。
【図２】枠体の前面を開放した状態における遊技機の斜視図である。
【図３】キャッチピンの斜視図である。
【図４】ピン受け部および施錠装置の斜視図である。
【図５】第２の位置にロック板があるときにおけるキャッチピンとロック板との関係を示す図と、第１の位置にロック板があるときにおけるキャッチピンとロック板との関係を示す図である。
【図６】枠体の前面を閉鎖した状態における遊技機の斜視図である。
【発明を実施するための形態】
【００２２】
以下、本発明の実施形態について図面を参照しながら具体的に説明する。
【００２３】
図１は本発明の遊技機１の一例を示す正面図であり、図２は枠体１００の前面を開放させた状態の枠体１００およびカバー体１１０の斜視図である。また、図３はキャッチピン１３０の拡大斜視図であり、図４はピン受け部１４０および施錠装置１５０の拡大斜視図である。
【００２４】
図１および図２に示すように、遊技機１は、遊技盤２を前面側に収容し、さらに遊技盤２の背後に、遊技の実行のときに必要な所定の機構や所定の電子部品が取り付けられた枠体１００と、ハンドル３、演出用照明装置１６、演出ボタン１７、音声出力装置１８、およびガラス板１１２等が設けられたカバー体１１０とにより構成されている。なお、図２では、遊技盤２は省略されている。
【００２５】
カバー体１１０の前面に設けられた操作ハンドル３に遊技者が触れると、操作ハンドル３内にあるタッチセンサ３ｂが、操作ハンドル３に遊技者が触れたことを検知し、発射制御基板１０６にタッチ信号を送信する。発射制御基板１０６は、タッチセンサ３ｂからタッチ信号を受信すると、発射用ソレノイド４ａの通電を許可する。そして、操作ハンドル３の回転角度を変化させると、操作ハンドル３に直結しているギアが回転し、ギアに連結した発射ボリューム３ａのつまみが回転する。この発射ボリューム３ａの検出角度に応じた電圧が、遊技球発射機構に設けられた発射用ソレノイド４ａに印加される。そして、発射用ソレノイド４ａに電圧が印加されると、発射用ソレノイド４ａが印加電圧に応じて作動するとともに、操作ハンドル３の回動角度に応じた強さで、遊技領域６に向けて遊技球を発射する。
【００２６】
上記のようにして発射された遊技球は、レール５ａ、５ｂ間を上昇して遊技盤２の上部位置に達した後、遊技領域６内を落下する。このとき、遊技領域６に設けられた複数の釘や風車によって、遊技球は予測不能に落下することとなる。
【００２７】
また、上記遊技領域６には、複数の一般入賞口７が設けられている。これら各一般入賞口７には、一般入賞口検出スイッチ７ａが設けられており、この一般入賞口検出スイッチ７ａが遊技球の入球を検出すると、所定の賞球（例えば１０個の遊技球）が払い出される。
【００２８】
さらに、上記遊技領域６には、普通図柄ゲート８が遊技球を通過可能に設けられている。普通図柄ゲート８には、遊技球の通過を検出するゲート検出スイッチ８ａが設けられており、このゲート検出スイッチ８ａが遊技球の通過を検出すると、普通図柄の抽選が行われる。
【００２９】
また、上記遊技領域６の下部位置には、上記一般入賞口７と同様に、遊技球が入球可能な第１始動口９が設けられている。また、第１始動口９の真下には、第２始動口１０が設けられている。第２始動口１０は、通常は始動口開閉扉１０ｂによって閉鎖状態に維持されており、遊技球の入球を不可能としている。これに対して、普通図柄の抽選によって当たりに当選すると、大入賞口開閉扉１１ｂが開放状態に所定時間変化され、この始動口開閉扉１１ｂが遊技球を第２始動口１０に導く受け皿として機能し、遊技球が第２始動口１０に入球可能となる。つまり、第２始動口１０は、閉鎖状態にあるときには遊技球の入球不可能となり、開放状態にあるときには遊技球の入球可能となる。なお、閉鎖状態であっても、遊技球が第２始動口１０へ入球可能としてもよいが、この場合であっても、開放状態であるときよりは入球困難なものとする。
【００３０】
なお、上記第１始動口９および第２始動口１０には、遊技球の入球を検出する第１始動口検出スイッチ９ａおよび第２始動口検出スイッチ１０ａがそれぞれ設けられており、これら検出スイッチが遊技球の入球を検出すると、大当たり遊技を実行する権利獲得の抽選が行われる。また、検出スイッチ９ａ、１０ａが遊技球の入球を検出した場合にも、所定の賞球（例えば３個の遊技球）が払い出される。
【００３１】
そして、図１に示すように、上記第２始動口１０のさらに下方には、大入賞口１１が設けられている。この大入賞口１１は、この大入賞口１１は、通常は真上に設けられた大入賞口開閉装置１１ｂが手前側に突出しており、遊技球の入球が不可能になっている。これに対し、特別遊技が開始されると、大入賞口開閉装置１１ｂが摺動して収納され、大入賞口１１への入球が可能になる。大入賞口１１には大入賞口検出スイッチ１１ａが設けられており、この大入賞口検出スイッチ１１ａが遊技球の入球を検出すると、予め設定された賞球（例えば９個の遊技球）が払い出される。
【００３２】
上記大入賞口１１のさらに下方、すなわち、遊技領域６の最下部には、一般入賞口７、第１始動口９、第２始動口１０、および大入賞口１１のいずれにも入球しなかった遊技球を排出するための排出口１２が設けられている。
【００３３】
また、上記遊技盤２には、さまざまな演出を行う演出装置が設けられている。具体的には、上記遊技領域６の略中央部分には、液晶表示器（ＬＣＤ）等からなる液晶表示装置１３が設けられており、この液晶表示装置１３の右側面には、演出用役物装置１４、１５が設けられている。
【００３４】
上記液晶表示装置１３は、遊技が行われていない待機中に画像を表示したり、遊技の進行に応じた画像を表示したりする。なかでも、第１始動口９または第２始動口１０に遊技球が入球したときには、抽選結果を遊技者に報知する演出図柄３０が変動表示される。演出図柄３０というのは、例えば３つの数字をそれぞれスクロール表示するとともに、所定時間経過後に当該スクロールを停止させて、特定の図柄（数字）を配列表示するものである。これにより、図柄のスクロール中には、あたかも現在抽選が行われているような印象を遊技者に与えるとともに、スクロールの停止時に表示される図柄によって、抽選結果が遊技者に報知される。この演出図柄３０の変動表示中に、さまざまな画像やキャラクタ等を表示することによって、大当たりに当選するかもしれないという高い期待感を遊技者に与えるようにしている。
【００３５】
上記演出用役物装置１４、１５は、その動作態様によって遊技者に期待感を与えるものである。本実施形態においては、演出用役物装置１４を人間を模擬した可動装置で構成しており、また、演出用役物装置１５は、団子が刺さった串を持った手を模擬している。これら演出用役物装置１４、１５の動作態様や、両演出用役物装置１４、１５の動作の組み合わせによって、遊技者にさまざまな期待感を与えるようにしている。
【００３６】
また、カバー体１１０に設けられた演出用照明装置１６は、それぞれ複数のライト１６ａを備えており、各ライト１６ａの光の照射方向や発光色を変更しながら、さまざまな演出を行うようにしている。
【００３７】
また、カバー体１１０の上記操作ハンドル３の左側には、遊技者が押圧操作可能な演出ボタン１７が設けられている。この演出ボタン１７は、例えば、上記液晶表示装置１３に当該演出ボタン１７を操作するようなメッセージが表示されたときのみ有効となる。演出ボタン１７には、演出ボタン検出スイッチ１７ａが設けられており、この演出ボタン検出スイッチ１７ａが遊技者の操作を検出すると、この操作に応じてさらなる演出が実行される。
【００３８】
さらに、カバー体１１０の上部にはスピーカからなる音声出力装置１８が設けられており、上記の各演出装置に加えて、音楽や音声による演出も行うようにしている。
【００３９】
そして、遊技領域６の下方には、第１特別図柄表示装置１９、第２特別図柄表示装置２０、普通図柄表示装置２１、第１特別図柄保留表示器２２、第２特別図柄保留表示器２３、普通図柄保留表示器２４が設けられている。
【００４０】
第１特別図柄表示装置１９は、第１始動口９に遊技球が入賞することを条件に行われる第１特別図柄の抽選の結果を表示する可変表示装置、第２特別図柄表示装置２０は、第２始動口１０に遊技球が入賞することを条件に行われる第２特別図柄の抽選の結果を表示する可変表示装置である。各特別図柄の抽選の結果には特別図柄が設定されており、特別図柄の抽選が行われると、当該抽選の結果に応じた特別図柄が特別図柄表示装置１９、２０に停止状態で表示される。つまり、特別図柄表示装置１９、２０における特別図柄の停止表示は、当該特別図柄抽選の結果の報知となる。
【００４１】
特別図柄表示装置１９、２０は、例えばそれぞれ複数のＬＥＤを具備しており、大当たりに当選した場合には大当たりに対応する特定のＬＥＤが点灯し、ハズレであった場合にはハズレに対応する特定のＬＥＤが点灯する。このようにして特別図柄表示装置１９、２０が具備するＬＥＤが点灯することによって現される文字、図形及び模様等が特別図柄を構成する。このように、特別図柄が停止する前には必ず所定時間変動する。すなわち、１回の特別図柄の抽選に対して、特別図柄表示が行われ、１回の特別図柄表示においては、特別図柄の変動表示及び特別図柄の停止表示が行われる。
【００４２】
また、普通図柄表示装置２１は、普通図柄ゲート８を遊技球が通過したことを契機として行われる普通図柄の抽選結果を報知するためのものである。例えば複数のＬＥＤを具備しており、当たりに当選した場合には当たりに対応する特定のＬＥＤが点灯し、ハズレであった場合にはハズレに対応する特定のＬＥＤが点灯する。このようにして普通図柄表示装置２１が具備するＬＥＤが点灯することによって現される文字、図形及び模様等が普通図柄を構成するが、この普通図柄が停止する前には必ず所定時間変動する。すなわち、１回の普通図柄の抽選に対して、普通図柄表示が行われ、１回の普通図柄表示においては、普通図柄の変動表示及び普通図柄の停止表示が行われる。
【００４３】
さらに、特別図柄の変動表示中や大当たり遊技中等、第１始動口９または第２始動口１０に遊技球が入球して、即座に大当たりの抽選が行えない場合には、一定の条件のもとで大当たりの抽選の権利が留保される。より詳細には、第１始動口９に遊技球が入球して留保される大当たりの抽選の権利は第１保留として留保され、第２始動口１０に遊技球が入球して留保される大当たりの抽選の権利は第２保留として留保される。
【００４４】
これら両保留は、それぞれ上限留保個数を４個に設定し、その留保個数は、それぞれ第１特別図柄保留表示器２２と第２特別図柄保留表示器２３とに表示される。また、普通図柄の上限留保個数も４個に設定されており、その留保個数が、上記第１特別図柄保留表示器２２および第２特別図柄保留表示器２３と同様の態様によって、普通図柄保留表示器２４において表示される。
【００４５】
また、枠体１００内であって、遊技盤２の背面側には、主制御基板１０１、演出制御基板１０２、払出制御基板１０３、電源基板１０７、遊技情報出力端子板１０８などが設けられている。また、電源基板１０７に遊技機に電力を給電するための電源プラグ６０や、図示しない電源スイッチが設けられている。
【００４６】
カバー体１１０には、遊技盤２の前方（遊技者側）において遊技領域６を視認可能に覆うガラス板１１２が設けられている。ガラス板１１２は、カバー体１１０に対して着脱可能に固定されている。
【００４７】
またカバー体１１０は、図２に示すように、左右方向の一端側（例えば遊技機に正対して左側）においてヒンジ機構部１１１を介して枠体１００に連結されており、ヒンジ機構部１１１を支点として左右方向の他端側（例えば遊技機に正対して右側）を枠体１００から開放させる方向に回動可能とされている。カバー体１１０は、枠体１００の前面側を覆うことで、枠体１００の前面側を閉鎖することができる。また、ヒンジ機構部１１１を支点として扉のようにカバー体１１０を回動させることによって、枠体１００の前面側を開放することができる。
【００４８】
そして、カバー体１１０の背面側の略中央下部には、ピン受け部１４０が設けられている。このピン受け部１４０は、枠体１００の前面側の略中央下部に設けられた後述するキャッチピン１３０を受け入れることにより、カバー体１１０を枠体１００に係止することができる。
【００４９】
また、カバー体１１０の背面側に向かってピン受け部１４０の左方に設けられた施錠装置１５０により、ピン受け部１４０が受け入れたキャッチピン１３０を、ピン受け部１４０から離脱可能な解錠状態と、離脱不可能な施錠状態とに変化させることが可能になっている。
【００５０】
これらのピン受け部１４０、キャッチピン１３０、施錠装置１５０がカバー体１１０を枠体１００に係止させるためのロック機構を構成している。なお、カバー体１１０には、カバー体１１０が枠体１００から開放されているか否かを検出する扉開放スイッチ（図示せず）も設けられている。
【００５１】
以下、カバー体１１０を枠体１００に係止させるロック機構の構成について、図２〜図４を用いて説明する。なお、以下の説明において、枠体１００の前面側に設けられたキャッチピン１３０の構成について、正面視における左右を左右方向として説明する。また、カバー体１１０の背面側に設けられたピン受け部１４０および施錠装置１５０の構成については、背面側から見た左右を左右方向として説明する。
【００５２】
図３に示すように、キャッチピン１３０は、全体として丸鉛筆のような形状であり、円筒状の胴体部１３１と、胴体部１３１に先端部に設けられた円錐上の尖頭部１３３とにより構成されている。
【００５３】
胴体部１３１の後端部は枠体１００の前面側に固定されており、中間部および先端部である尖頭部１３３が枠体１００の前方側に突出している。すなわち、キャッチピン１３０は、あたかも丸鉛筆の後端が枠体１００の前面に突き刺さっているような状態で設けられている。そして、胴体部１３１の周側面の正面視右側には、縦長の溝である切り欠き部１３２が形成されており、切り欠き部１３２の手前側、奥側、および左側は、略垂直な起立壁となっている。この左側の起立壁が切り欠き部１３２の最深部となる。
【００５４】
また、キャッチピン１３０の右下には、枠体１００の背面にまで貫通した横長の孔部である操作用孔１６０が形成されている（図３参照）。この操作用孔１６０は、枠体１００の背面から図示しない操作部材を挿入させることができる。操作部材は、棒状形状であって、かつ、操作用孔１６０に枠体１００の背面から挿入した場合に、枠体１００の前面にまで先端が到達する長さを有することが望ましい。また、操作部材は、操作用孔１６０に挿入するための専用の部材であってもよいし、スクリュードライバーのような工具等であってもよい。
【００５５】
図４に示すように、ピン受け部１４０は、板状部材であるロック板１４１と、前記胴体部１３１の直径よりも大きく形成された孔であるピン挿入部１４２と、ロック板１４１を摺動可能に支持するロックレール１４３と、ロック板１４１を直接摺動させるための手動操作部１４４と、左端部がロック板１４１に連結し、右端部がロックレール１４３に連結したロック板用スプリング１４５とから構成されている。
【００５６】
ロック板１４１は、前記切り欠き部１３２の奥行きよりも薄く形成された横長略長方形の板状部材であり、縦幅は、切り欠き部１３２の直径よりも広く形成されている。このロック板１４１は、背面がカバー体１１０の壁面にほぼ平行に対するように設けられており、施錠装置１５０または手動操作部１４４の操作に応じて横方向に摺動可能となっている。
【００５７】
ピン挿入部１４２は、カバー体１１０が枠体１００に固定されたときにキャッチピン１３０の対面となる位置に設けられており、カバー体１１０が枠体１００を覆った状態においては、枠体１００の前面から突出しているキャッチピン１３０が挿入される。このとき、少なくとも、キャッチピン１３０の尖頭部１３３から切り欠き部１３２を含む胴体部１３１の一部までが挿入可能となっている。
【００５８】
ロックレール１４３は、カバー体１１０の背面側の壁面に沿って固定され、ロック板１４１の上縁部および下縁部を覆うように支持する。ロックレール１４３によって上縁部と下縁部を支持されたロック板１４１は、ロックレール１４３に沿って横方向に摺動可能となっている。なお、ロックレール１４３のピン挿入部１４２に対する位置には、ピン挿入部よりも大きな開口部が形成されており、ピン挿入部１４２を覆わないようになっている。
【００５９】
手動操作部１４４は、ロック板１４１の下縁部の右端に形成された突出片であり、ロック板１４１の下方に突出している。また、平面視においてはＬ字形状に形成されており、ロック板１４１から手前方向にも突出している。さらに、ロック板１４１の下縁部のうち、手動操作部が設けられた部分は、ロックレール１４３によって覆われていない。そのため、ロック板１４１が左右方向に摺動しても、下方に突出した手動操作部１４４がロックレール１４３に干渉しないようになっている。
【００６０】
また、手動操作部１４４が配設されている位置は、カバー体１１０が枠体１００に固定されたときに操作用孔１６０の対面となる。したがって、操作部材を操作用孔１６０の背面側から前面側まで挿通させると、操作部材を手動操作部１４４に当接させることができる。操作部材を用いた手動操作部１４４の操作方法については後述する。
【００６１】
ロック板用スプリング１４５は、横向きに設けられており、ロック板１４１を右方向へと付勢している。
【００６２】
ここで、最も右方向に摺動している状態であるときのロック板１４１の位置を第１の位置とし、最も左方向に摺動している状態であるときのロック板１４１の位置を第２の位置として、ロック板１４１とピン挿入部１４２の関係を説明する。
【００６３】
ロック板１４１の短辺（高さ）は、ピン挿入部１４２の縦幅（高さ）よりも長く形成されている。また、ロック板１４１は、ピン挿入部１４２の左側に設けられ、左右方向に摺動する。さらに、第１の位置にあるときのロック板１４１の右辺は、ピン挿入部１４２の中心線よりもやや左側の位置となる。一方、第２の位置にあるときのロック板１４１の右辺は、ピン挿入部１４２の左端付近となる。
【００６４】
したがって、ロック板１４１が第１の位置にあるときは、ロック板１４１によってピン挿入部１４２は左側半分近くが覆われる。一方、ロック板１４１が第２の位置にあるときは、ピン挿入部１４２のほとんどまたは全部が開放される。すなわち、ロック板１４１の摺動により、ピン挿入部１４２は、左半分近くが覆われた状態から全面が開放された状態にまで変化する。なお、ロック板１４１が第１の位置にあるときであっても、ピン挿入部１４２の中心部付近までは覆わない。
【００６５】
施錠装置１５０は、鍵（図示せず）を挿入可能なシリンダ錠１５１、シリンダ錠１５１に挿入された鍵によって回動する施錠カム１５５、施錠カム１５５の回動に応じて上下動する施錠帯板１５４、施錠帯板１５４の下方向への動作を付勢する帯板用スプリング１５６、施錠帯板１５４の上部とロック板１４１の左端とを連結するワイヤ１５２、中空筒状に形成され、内部をワイヤ１５２が挿通するワイヤレール１５３とから構成されている。
【００６６】
シリンダ錠１５１は、端部に設けられた鍵穴がカバー体１１０の前面側に露出するように設けられており、他端側はカバー体１１０の背面側に突出している。
【００６７】
施錠カム１５５は、シリンダ錠１５１の鍵穴の他端側に設けられ、シリンダ錠１５１の錠軸と連結しているので、シリンダ錠１５１に挿入された鍵操作により施錠カム１５５は回動する。すなわち、鍵を正面視で時計回りに回すと、施錠カム５５はカバー体１１０背面側から見て反時計回り方向に回動し、鍵を正面視で反時計回りに回すと、施錠カム５５はカバー体１１０背面側から見て時計回り方向に回動する。
【００６８】
施錠帯板１５４は、カバー体１１０の背面左側壁面に摺動可能に設けられており、施錠カム１５５がカバー体１１０の背面側から見て時計回り方向に回動すると上方に摺動し、施錠カム１５５が反時計回り方向に回動すると下方に摺動する。
【００６９】
また、施錠帯板１５４には、鉤受け部１５７が形成されており、枠体１００の右端側の対面位置に設けられた鉤摺動杆１７０（図２参照）と係合可能となっている。これにより、枠体１００の前面側をカバー体１１０によって閉鎖している状態において、枠体１００とカバー体１１０とを端側部において係止している。鉤摺動杆１７０は下方向に付勢されて設けられており、鍵を反時計回りに回して施錠帯板１５４を上方に摺動させると、鉤摺動杆１７０と鉤受け部１５７との係合が解除されるようになっている。
【００７０】
帯板用スプリング１５６は、縦向きに設けられており、上端がカバー体１１０と連結する係止部材に係止され、下端が施錠帯板１５４に係止されており、施錠帯板１５４を下方向に引っ張るように設けられている。
【００７１】
ワイヤ１５２は、一端が施錠帯板１５４に上部と連結し、他端がロック板１４１の左端と連結しており、ワイヤレール１５３に沿って摺動可能になっている。このワイヤレール１５３は、正面視においてＬ字形状に形成されているので、ワイヤ１５２はＬ字に沿って摺動する。したがって、ワイヤ１５２が摺動すると、施錠帯板１５４と連結する方の端部は上下方向に移動し、ロック板１４１と連結する方の端部は左右方向に移動することになる。そのため、施錠帯板１５４が上方に摺動すると、ロック板１４１と連結する方の端部が左方向に移動し、ロック板１４１は第２の位置の方向へと引っ張られて摺動する。
【００７２】
次に、図２〜図６を用いて、枠体１００の前面を閉鎖する方法、および、枠体１００の前面を開放する方法について説明する。なお、図５（ａ）は、ロック板１４１が第２の位置であるときのキャッチピン１３０とロック板１４１との関係を示す斜視図であり、図５（ｂ）は、ロック板１４１が第１の位置であるときのキャッチピン１３０とロック板１４１との関係を示す斜視図である。また、図６は、枠体１００の前面を閉鎖させた状態の枠体１００およびカバー体１１０の斜視図である。
【００７３】
まず、図２に示すような、カバー体１１０がヒンジ機構部１１１を支点として手前方向に回動した状態から、カバー体１１０を枠体１００の前面に係止する方法を説明する。
カバー体１１０が枠体１００の前面から離間した状態においては、ロック板１４１がロック板用スプリング１４５によって右方向に付勢されているため、ロック板１４１は第１の位置に停止している。したがって、ロック板１４１によってピン挿入部１４２の半分近くが覆われている。
【００７４】
そして、図６に示すような、枠体１００の前面側が閉鎖された状態にするために、カバー体１１０を奥側方向に回動させると、キャッチピン１３０がピン挿入部１４２へと誘導される。このとき、尖頭部１３３の先端がピン挿入部１４１の中心部を通過すると、尖頭部１３３の曲面にロック板１４１の縁部が当接し、当該曲面によってロック板１４１を第２の位置の方向に向かって押し出す。これにより、ピン挿入部１４２へキャッチピン１３０が挿入される。
【００７５】
ピン挿入部１４２にキャッチピン１３０が挿入されていき、ロック板１４１の縁部が切り欠き部１３２に対する位置になると、ロック板用スプリング１４５の付勢によって、ロック板１４１は再び第１の位置へと摺動する。そして、ロック板１４１の厚みは切り欠き部１３２の奥行きよりもやや薄く形成されているため、図５（ｂ）に示すように、ロック板１４１は切り欠き部１３２へと嵌り込んだ状態となる。したがって、キャッチピン１３０は、ロック板１４１によってピン挿入部１４２に挿入された状態でロックされ、ピン挿入部１４２から抜き出すことができない。
【００７６】
ロック板１４１が切り欠き部１３２に嵌入するまでキャッチピン１３０がピン挿入部１４２に挿入されると、カバー体１１０は枠体１００の前面を全て覆った状態となる。この状態では、キャッチピン１３０がロック板１４１によってロックされているため、枠体１００の前面を覆ったままの状態でカバー体１１０を係止することができることになる。このように、本実施形態によれば、キャッチピン１３０の先端に設けられた尖頭部１３３を用いることにより、自動的にロック板１４１を第２の位置へと摺動させることができるので、カバー体１１０を奥側方向に回動させるのみで、枠体１００の前面にカバー体１１０を係止することができる。
【００７７】
なお、本実施形態では、キャッチピン１３０の先端に設けられた尖頭部１３３によってロック板１４１を第２の位置の方向に向かって押し出すことにより、ピン挿入部１４２へキャッチピン１３０を挿入可能にしているが、これに限らず、例えば、シリンダ錠１５１に挿入した鍵の操作によってロック板１４１を第２の位置の方向に摺動させ、キャッチピン１３０を挿入するようにしてもよい。
【００７８】
次に、図６に示すような枠体１００の前面にカバー体１１０が係止された状態から、当該係止を解除して、枠体１００の前面からカバー体１１０を離間させて枠体１００の前面を開放する方法について説明する。
【００７９】
第１の位置にあるロック板１４１によって、キャッチピン１３０がピン受け部１４０にロックされている状態では、カバー体１１０を手前方向に回動させることができないので、キャッチピン１３０のロックを解除する必要がある。キャッチピン１３０のロックを解除する方法は、施錠装置１５０を操作する方法と、手動操作部１４４を操作する方法とがある。
【００８０】
まず、図４および図５を用いて、施錠装置１５０を操作して、ロック板１４１によるキャッチピン１３０のロックを解除する方法を説明する。
カバー体１１０の前面に設けられたシリンダ錠１５１の鍵穴に鍵を挿入し、鍵の操作によって施錠カム１５５を時計回り方向に回動させると、施錠帯板１５４が上方に摺動する。施錠帯板１５４の上方への摺動に伴い、ワイヤ１５２の上端が引っ張り上げられるため、ワイヤ１５２の下端がロック板１４１を第２の位置に向かって引っ張る。これにより、ロック板用スプリング１４５の付勢力により第１の位置に停止していたロック板１４１は第２の位置方向に摺動する。
【００８１】
このように、ロック板１４１が第１の位置から第２の位置へと摺動すると、キャッチピン１３０の切り欠き部１３２に嵌入していたロック板１４１の先端部分は、キャッチピン１３０から離れることになる。これにより、キャッチピン１３０のロックは解除され、キャッチピン１３０をピン挿入部１４２から抜き出すことが可能になり、カバー体１１０を手前側に回動させて枠体１００の前面を開放することができる。
【００８２】
なお、鍵を反時計回りに回して施錠帯板１５４を上方に摺動させると、キャッチピン１３０のロックを解除すると同時に、鉤摺動杆１７０と鉤受け部１５７との係合も解除される。すなわち、カバー体１１０が枠体１００の前面側を閉鎖しているときは、キャッチピン１３０と鉤摺動杆１７０とにより、中央下部と端側部との２箇所でカバー体１１０と枠体１００とを係止している。そして、枠体１００の前面側を開放するためにカバー体１１０を手前側に回動させるときは、鍵を反時計回りに回すことで、ロック板１４１によるキャッチピン１３０のロックと、鉤摺動杆１７０と鉤受け部１５７との係合を同時に解除することができる。したがって、２箇所でカバー体１１０と枠体１００とを係止しているものの、当該２箇所の係止は、一つの操作で同時に解除することができるようになっている。
【００８３】
次に、手動操作部１４４を操作してロック板１４１によるキャッチピン１３０のロックを解除する方法を説明する。手動操作部１４４は、ワイヤ１５２が切断してしまったときなど、施錠装置１５０の操作によってキャッチピン１３０のロックを解除できないときなどに用いられる。
上述したように操作用孔１６０は枠体１００の前面側から背面側まで貫通しているため、枠体１００の背面側から操作用孔１６０に挿入した操作部材は、カバー体１１０の背面にまで到達可能になっている。また、手動操作部１４４は、操作用孔１６０の対面位置に配設されている。したがって、操作部材を枠体１００の背面側から操作用孔１６０に挿入し、操作部材の先端部分を手動操作部１４４に押し当てることができる。また、操作用孔１６０は横長に形成されているため、操作部材を操作用孔１６０に挿入したまま横方向に移動させることができる。
【００８４】
また、手動操作部１４４はロック板１４１と一体に形成されているため、手動操作部１４４に押し当てた状態の操作部材を枠体１００の背面に対して左方向に動かすと、ロック板１４１を第１の位置から第２の位置へと摺動させることができる。これにより、図５（ａ）に示すように、キャッチピン１３０の切り欠き部１３２に嵌入していたロック板１４１の先端部分は、キャッチピン１３０から離れ、ロック板１４１によるキャッチピン１３０のロックを解除することができる。
【００８５】
以上のように、本実施形態によれば、ロック板１４１を横方向に摺動させ、ピン挿入部１４２に挿入されたキャッチピン１３０の側面の切り欠き部１３２にロック板１４１を横方向から嵌入させることで、キャッチピン１３０がピン挿入部１４２から抜き出し不可能となる。
【００８６】
このような構成により、カバー体１１０や枠体１００が上下に揺動したとしても、キャッチピン１３０のロックの解除がされにくくすることができる。すなわち、ロック板１４１は左右方向に摺動し、また、ロック板１４１の上縁部と下縁部はロックレール１４３によって支持されているので、カバー体１１０の上下方向の揺動によってロック板１４１が上下動してしまう虞が少ない。さらに、切り欠き部１３２は略垂直な起立壁によって構成されているため、枠体１００の上下方向の揺動によってキャッチピン１３０が上下動してしまったとしても、キャッチピン１３０は、切り欠き部１３２に嵌入したロック板１４１の縁部に沿って摺動することになり、切り欠き部１３２からロック板１４１が離間しにくい。
【００８７】
ここで、キャッチピン１３０の切り欠き部１３２が形成される位置を、本実施形態のように胴体部１３１の周側面左右一方側とせずに、例えば、胴体部１３１の周側面の下側に形成すると、ロック機構をカバー体１１０の背面側に配設することが困難となる。なぜならば、キャッチピン１３０の下側に嵌入させるためにロック板１４１を上下方向に摺動させる必要が生じ、ロック板１４１を上下方向に摺動させるスペースをカバー体１１０の背面側中央部付近に確保することは困難であるからである。したがって、切り欠き部１３２を胴体部１３１の周側面の下側に形成する場合は、ロック板１４１を上下方向に摺動させるよりは、上下方向の必要スペースが少ないカム部材をロック板１４１に代えて用いることになる。
【００８８】
しかし、カム部材の回動によってカム部材がキャッチピン１３０の切り欠き部１３２に嵌入および離間させるようにした場合、カム部材の回動スペースを確保するために、上下方向に加えて左右方向との必要面積も大きくなってしまう。そのため、切り欠き部１３２を胴体部１３１の周側面の下側に形成すると、カバー体１１０を枠体１００に係止するためのロック機構を設ける位置が限定され、また、その他の部品の配置も限定されてしまうことなる。
【００８９】
さらに、切り欠き部１３２を胴体部１３１の周側面の下側に形成すると、カム部材はキャッチピン１３０の下側から嵌入することになる。しかし、カバー体１１０は、ヒンジ機構部１１１と鉤摺動杆１７０とによってカバー体１１０の両端側部が枠体１００に係止されているため、例えばカバー体１１０の前面側の中央部付近に配設されている演出ボタン１７を遊技者が強く押圧したりすると、中央部付近が下側に撓んでしまう。そのため、カバー体１１０の中央部付近にあるカム部材が下方向に移動し、キャッチピン１３０からカム部材が離間してしまうそれがある。このように、切り欠き部１３２をキャッチピン１３０の下側に形成した場合、カバー体１１０に下方向への力を加えられると、ロックが解除されやすくなってしまう。
【００９０】
また、カバー体１１０の一端側にのみロック機構を設けた場合、枠体１００とカバー体１１０とを、当該ロック機構と他端側に設けられたヒンジ機構部１１１とによって左右端で係止することになり、中央部の係止強度が弱くなってしまう。そのため、カバー体１１０の中央部を引っぱったり、カバー体１１０の前面中央部の部材上に体重をかけたりすると、カバー体１１０の中央部が撓んで上部や下部に隙間が生じてしまうことになる。
【００９１】
これに対し、本実施形態によれば、ロック板１４１を横方向に摺動させることで、キャッチピン１３０をピン挿入部１４２に挿入したままロックし、さらに当該ロックを解除する。これにより、省スペースでロック機構を設けることができるので、カバー体１１０の背面における種々の部品のレイアウトの自由度を高めることが可能になる。さらに、ロック機構をカバー体１１０の中心部付近に設けることができるので、枠体１００とカバー体１１０とを強固に係止することができる。
【００９２】
また、本実施形態によれば、ヒンジ機構部１１１はカバー体１１０の正面視左側に設けられ、切り欠き部１３２は、正面視においてキャッチピン１３０の右側に設けられている。すなわち、切り欠き部１３２が形成されている位置は、キャッチピン１３０のうち、カバー体１１０の回動方向の外周側となる。そのため、カバー体１１０を無理に手前側に回動させようとしても、当該ロックが解除されにくくすることができる。
【００９３】
なお、本実施形態においては、キャッチピン１３０の側面に形成された切り欠き部１３２にロック板１４１が横方向から嵌入することにより、キャッチピン１３０をピン挿入部１４２に挿入した状態でロックしている。しかし、これに限らず、例えば、胴体部１３１の側面に孔部を形成し、当該孔部に横方向から棒状のロック部材を挿入することによってキャッチピン１３０をロックするようにしてもよい。
【００９４】
なお、本実施形態では、キャッチピン１３０が係止部材に相当し、ピン挿入部１４２が挿入部に相当し、ピン受け部１４０が係合部材に相当する。また、ロック板１４１がロック部材に相当する。
【符号の説明】
【００９５】
１          遊技機 
２          遊技盤 
３          操作ハンドル 
７          一般入賞口 
９          第１始動口 
１０        第２始動口 
１１        大入賞口 
１２        排出口 
１３        液晶表示装置 
１６        演出用照明装置 
１７        演出ボタン 
１８        音声出力装置 
１００      枠体 
１１０      カバー体 
１１１      ヒンジ機構部 
１１２      ガラス板 
１３０      キャッチピン 
１３１      胴体部 
１３２      切り欠き部 
１３３      尖頭部 
１４０      ピン受け部 
１４１      ロック板 
１４２      ピン挿入部 
１４３      ロックレール 
１４４      手動操作部 
１４５      ロック板用スプリング 
１５０      施錠装置 
１５１      シリンダ錠 
１５２      ワイヤ 
１５３      ワイヤレール 
１５４      施錠帯板 
１５５      施錠カム 
１５６      帯板用スプリング 
１５７      鍵受け部 
１６０      操作用孔 
１７０      鉤摺動杆 
【図２】
0005501326.tif 000002
【図３】
0005501326.tif 000003
【図４】
0005501326.tif 000004
【図５】
0005501326.tif 000005
【図６】
0005501326.tif 000006
【図１】
0005501326.tif 000007